(57)【要約】【課題】清掃布の一端を固定端に固定し、この固定端に相対する端部を回転端とし、清掃布を回転させて捻り、３６０°の清掃面を備えた螺旋状の清掃布とすることができる、清掃用品の捻り固定具を提供すること。【解決手段】本発明は清掃布のいずれかの一端を固定端とし、相対する端部を回転端として取り付ける清掃用品の捻り固定具に関し、前記捻り固定具が、前記清掃布の後端部から前端部へと穿置され、前記清掃布の前端部を挟持する支持体と、前記支持体の後端部に枢設された回転装置を含み、前記回転装置に前記清掃布の後端部が掛止され、前記清掃布の後端部が回転端とされて、前記清掃布が前記支持体上で回転されて捻られ、３６０°の清掃面を備えた螺旋状の形態を成す。【選択図】図３
2008043734.tif 000002
【特許請求の範囲】
【請求項１】
清掃布のいずれかの一端を固定端とし、相対する端部を回転端として取り付ける清掃用品の捻り固定具であって、前記捻り固定具が、
前記清掃布の後端部から前端部へと穿置され、前記清掃布の前端部を挟持する支持体と、
前記支持体の後端部に枢設された回転装置を含み、
前記回転装置に前記清掃布の後端部が掛止され、前記清掃布の後端部が回転端とされて、前記清掃布が前記支持体上で回転されて捻られ、３６０°の清掃面を備えた螺旋状の形態を成すように構成したことを特徴とする、
清掃用品の捻り固定具。
【請求項２】
前記回転装置の後端部に柄部を設けたことを特徴とする、請求項１に記載の清掃用品の捻り固定具。
【請求項３】
前記支持体の前端部が分岐状を呈し、前記清掃布の前端部を挟持するために用いられることを特徴とする、請求項１に記載の清掃用品の捻り固定具。
【請求項４】
前記回転装置上に少なくとも一対の第一フック部が設けられ、前記清掃布の後端部を掛止するために用いられることを特徴とする、請求項１に記載の清掃用品の捻り固定具。
【請求項５】
前記回転装置が任意の方向の回転装置またはトルク装置とすることができることを特徴とする、請求項１に記載の清掃用品の捻り固定具。
【請求項６】
前記一対の第一フック部が前記回転装置の表面両側に設置されることを特徴とする、請求項４に記載の清掃用品の捻り固定具。
【請求項７】
前記回転装置上に一対の第一フック部と一対の第二フック部を設けたことを特徴とする、請求項１または５に記載の清掃用品の捻り固定具。
【請求項８】
前記一対の第一フックが前記回転装置の表面両側に設置され、各フックが呈する挟角が１８０°を最良とすることを特徴とする、請求項７に記載の清掃用品の捻り固定具。
【請求項９】
前記一対の第二フックが前記回転装置の表面両側に設置され、各フックが呈する挟角が１８０°を最良とすることを特徴とする、請求項７に記載の清掃用品の捻り固定具。
【請求項１０】
前記柄部の後端部に延伸棒を接続するための接続部を設けたことを特徴とする、請求項２に記載の清掃用品の捻り固定具。
【請求項１１】
前記接続部が、前記柄部の上下表面を貫通する槽部と、前記槽部の両壁面にそれぞれ設置された複数の位置決め凸部を含み、前記槽部が前記延伸棒を枢設するために用いられることを特徴とする、請求項１０に記載の清掃用品の捻り固定具。
【発明の詳細な説明】
【技術分野】
【０００１】
本発明は清掃用品の捻り固定具に関し、特に、清掃布を捻り、その捻り角度を固定することができる、清掃用品の捻り固定具に関するものである。
【背景技術】
【０００２】
従来の除塵清掃具の構造は、塵埃吸着能力を備えた特殊なモップ布とこのモップ布を支持して固定する保持具から構成され、清掃を行なうときは、保持具の前端部をモップ布の内部に挿入し、このモップ布の後端部を保持具の中段部に設けられたフック上に掛止すると、モップ布を広げて真っ直ぐに引っ張り保持することができ、使用者は保持具の後端部を手に持ち動かすことでモップ布の表面に塵埃を吸着させることができる。
【０００３】
しかしながら、前述の除塵清掃具の構造は塵埃を吸着するという効果を主にモップ布表面に設けた正電荷を持つパイル層で吸引帶負電荷を持つ塵埃を吸引することで達成されるが、一般にパイル層はモップ布の表面（上下表面）のみに設けることができるため、物品の各角度の面を掃除するとき死角が極めて容易に発生する。このような状況の発生を防ぐためには使用者が隨時パイル層と物品表面の相対角度を変える必要があり、時間が無駄となるだけでなく、長時間の操作で使用過度により手や腕に痛みを生じやすい。
【０００４】
上述の欠点を回避するため、本発明の発明者は先に『回転式除塵清掃具』（台湾特許出願案第０９３１３２０３６号）を提案した。この案は従来の除塵清掃具が片側の塵埃除去しかできないという欠点に対し、３６０°の清掃面を形成する清掃布と保持具（図１と図２に示す）を提供するものであり、そのうち清掃布５０は主に二層の平滑な不織布を内層とし、内層の外側にそれぞれ静電不織布を重ね合わせ、ホットプレス加工と切断機で各層の不織布に対しホットプレスと切断処理を行ない、四層の線模様網状不織布を形成した後、さらにその外側に熱可溶性インターミングル糸材及び静電不織布をそれぞれ重ね合わせ、再度ホットプレス加工処理を行なって八層の不織布及びインターミングル糸材を備えた清掃布５０とすると共に、この清掃布５０の中央部位にホットプレス方式で収納槽５１を形成し、保持具６０を穿置して清掃布５０を完全に支持する。この前案の保持具６０は主に柄部６１、柄部の片側に設けられた湾曲部６２、湾曲部に枢設されたヘッド部及びこのヘッド部の他方の側に設置された回転板６３から構成される。そのうち、この回転板６３の表面には螺旋突出部６３１が設けられ（図１参照）、回転板６３の前端部に分岐部が形成され、この分岐部に清掃布５０の収納槽５１の底部を穿入させて挟み込み、清掃布５０の収納槽底部の対応する前端部を回転板６３に固定する。この後さらに手で調整を加え、清掃布５０の中段部を回転板６３の螺旋突出部６３１の方向に沿って捻り、螺旋状の３６０°の清掃面を備えた清掃具を形成する（図２参照）。これにより、使用者は手で柄部６１を持ちいずれかの角度に動かすだけで、清掃布５０に物体の各角度面を同時に清掃することができ、除塵効果が向上されるというものである。
【０００５】
しかしながら、前述の回転式除塵清掃具の構造は効率の良い除塵という目的を達することはできるものの、実際に塵埃の除去を行なう際、保持具には相当大きな改良の空間があることが分かった。それは、使用者が直接手で清掃布の表面を調整し、回転板の螺旋突出部に沿って清掃布を捻り、３６０°の清掃面を備えた螺旋状清掃布とするとき、この調整過程で手が汚れやすいというだけでなく、塵埃の除去を行なう際、清掃布そのものの張力のために捻りが回復され、元の平面状態に戻ってしまい、このとき手で再度清掃布を調整すると、すでに清掃布に吸着された塵埃が地面に落ちてしまうということが原因である。
【発明の開示】
【発明が解決しようとする課題】
【０００６】
本発明の主な目的は、清掃布の一端を固定端に固定し、この固定端に相対する端部を回転端とし、清掃布を回転させて捻り、３６０°の清掃面を備えた螺旋状の清掃布とすることができる、清掃用品の捻り固定具を提供することにある。
【０００７】
本発明の別の目的は、清掃布の他端に設けられた回転端を一方向のみの回転に制限することで、清掃布を３６０°の清掃面を備えた螺旋状の形態に保持することができる、清掃用品の捻り固定具を提供することにある。
【課題を解決するための手段】
【０００８】
上述の目的を達するため、本発明の清掃用品の捻り固定具は、少なくとも次を含んで成る。
支持体が設けられ、その前端部に固定端が設けられると共に、この支持体が清掃布の後端部から前端部へと穿置され、且つ清掃布の前端部を挟持する。
回転装置が前記支持体の後端部に枢設され、且つ清掃布の後端部がこの回転装置に掛止され、この清掃布の後端部を回転端として用い、清掃布を支持体上で捻らせて３６０°の清掃面を備えた螺旋状清掃布とする。
前記回転装置の後端部に柄部が設置され、使用者が片手で握って動かし、塵埃の除去を行なうことができる。
【０００９】
前述の清掃用品の捻り固定具のうち、前記支持体の前端部は分岐状を呈し、清掃布を挟持するために用いられる。且つ、前記回転装置の外側に少なくとも１対のフック部が設置され、清掃布の後端部を掛止するために用いられ、この回転装置により清掃布を動かして捻り、３６０°の清掃面を備えた螺旋状の形態とすることができる。
【００１０】
前述の清掃用品の捻り固定具において、前記回転装置はさらに回転が一方向に制限された単方向回転装置とし、清掃布を３６０°の清掃面を備えた螺旋状の柱体として固定するために用いられる。より詳しく説明すると、この単方向回転装置は前記支持体の後端部で時計回りまたは反時計回りの限定された方向にのみ回転することができ、その回転で清掃布の回転端を動かすことができる。
【００１１】
前述の清掃用品の捻り固定具において、前記柄部の後端部にはさらに延伸棒を設置してもよく、高いところや遠いところの清掃のために柄部を延伸して用いることができる。この延伸棒の構造は、短縮／延長が可能な多段式の伸縮棒とする。
【００１２】
すなわち、本願の第１発明は、清掃布のいずれかの一端を固定端とし、相対する端部を回転端として取り付ける清掃用品の捻り固定具であって、前記捻り固定具が、前記清掃布の後端部から前端部へと穿置され、前記清掃布の前端部を挟持する支持体と、前記支持体の後端部に枢設された回転装置を含み、前記回転装置に前記清掃布の後端部が掛止され、前記清掃布の後端部が回転端とされて、前記清掃布が前記支持体上で回転されて捻られ、３６０°の清掃面を備えた螺旋状の形態を成すように構成したことを特徴とする、清掃用品の捻り固定具を提供する。
【００１３】
本願の第２発明は、前記回転装置の後端部に柄部を設けたことを特徴とする、前記第１発明の清掃用品の捻り固定具を提供する。
【００１４】
本願の第３発明は、前記支持体の前端部が分岐状を呈し、前記清掃布の前端部を挟持するために用いられることを特徴とする、前記第１発明の清掃用品の捻り固定具を提供する。
【００１５】
本願の第４発明は、前記回転装置上に少なくとも一対の第一フック部が設けられ、前記清掃布の後端部を掛止するために用いられることを特徴とする、前記第１発明の清掃用品の捻り固定具を提供する。
【００１６】
本願の第５発明は、前記回転装置が任意の方向の回転装置またはトルク装置とすることができることを特徴とする、前記第１発明の清掃用品の捻り固定具を提供する。
【００１７】
本願の第６発明は、前記一対の第一フック部が前記回転装置の表面両側に設置されることを特徴とする、前記第４発明の清掃用品の捻り固定具を提供する。
【００１８】
本願の第７発明は、前記回転装置上に一対の第一フック部と一対の第二フック部を設けたことを特徴とする、前記第１発明または第５発明の清掃用品の捻り固定具を提供する。
【００１９】
本願の第８発明は、前記一対の第一フックが前記回転装置の表面両側に設置され、各フックが呈する挟角が１８０°を最良とすることを特徴とする、前記第７発明の清掃用品の捻り固定具を提供する。
【００２０】
本願の第９発明は、前記一対の第二フックが前記回転装置の表面両側に設置され、各フックが呈する挟角が１８０°を最良とすることを特徴とする、前記第７発明の清掃用品の捻り固定具を提供する。
【００２１】
本願の第１０発明は、前記柄部の後端部に延伸棒を接続するための接続部を設けたことを特徴とする、前記第２発明の清掃用品の捻り固定具を提供する。
【００２２】
本願の第１１発明は、前記接続部が、前記柄部の上下表面を貫通する槽部と、前記槽部の両壁面にそれぞれ設置された複数の位置決め凸部を含み、前記槽部が前記延伸棒を枢設するために用いられることを特徴とする、前記第１０発明の清掃用品の捻り固定具を提供する。
【発明の効果】
【００２３】
本発明によれば、３６０°の清掃面を備えた螺旋状の清掃布とすることができる。
【００２４】
また、清掃布の他端に設けられた回転端を一方向のみの回転に制限することで、清掃布を３６０°の清掃面を備えた螺旋状の形態に保持することができる。
【発明を実施するための最良の形態】
【００２５】
本発明の上述の目的を達するために採用する技術手段及びその他効果について、以下、具体的な実施例を挙げ、図面に基づき詳細に説明する。
【００２６】
本発明の清掃用品の捻り固定具は、清掃布Ｃを捻り３６０°の清掃面を備えた螺旋状の形態とし、清掃時の死角を減少するために用いられる。本実施例において述べる清掃布Ｃは、多層不織布及び熱可溶性インターミングル糸材を重ね合わせて成り、各層の布材料間はホットプレス方式で熱溶解されて一体として結合される。清掃布Ｃの中央部位には別途収容槽Ｃ１がプレスで形成される。この清掃布の構造は本発明の最良の実施例の一つであり、即ち、本発明はこの構造または材質の清掃布Ｃに限定されないことをここで先に述べておく。
【００２７】
図１から図７に示すように、本発明の清掃用品の捻り固定具は、支持体１０、回転装置２０及び柄部３０を含んで成る。
【００２８】
そのうち、前記支持体１０は柱体１１から構成され、この柱体１１の表面に清掃布Ｃの捻り方向を導引するために用いられる複数本の螺旋突出部１２が設けられ、柱体１１の前端部は分岐状１１１を呈し、収容槽Ｃ１の底部を挟んで固定するために用いられ（図４参照）、その対応する清掃布Ｃの前端部が固定端となる。
【００２９】
回転装置２０は前記支持体１０の後端部に枢設され、その表面に第一フック部２１及び第二フック部２２が設けられ、且つ、第一フック部２１から支持体１０前端部までの間隔Ｌ１は第二フック部２２から支持体１０の前端部までの間隔Ｌ２より小さいものとし、清掃布Ｃの後端部が回転端となる。これにより、清掃布Ｃの寸法が比較的短いときは、その後端部を第一フック部２１に掛止し（図４参照）、反対に、清掃布Ｃの寸法が比較的長いときは、その後端部を第二フック部２２に掛止する（図示しない）ことができる。本実施例において第一フック部２１及び第二フック部２２は少なくとも２つの回転装置の両側にそれぞれ設置されたフック（２１１、２１１及び２２１、２２１）からそれぞれ構成され、回転装置２０が支持体１０上で時計回りまたは反時計回りに回転されるとき、これら対のフックが清掃布Ｃの回転端を動かして支持体１０の表面上で回転させ、清掃布Ｃの中段部（固定端と回転端の間）が支持体１０表面に設けられた螺旋突出部１２に沿って捻られ、３６０°の清掃面を備えた螺旋状の形態となる（図５参照）。このため、回転装置２０の回転方向は螺旋突出部１２の螺旋の向きに合わせる必要があり、例えば螺旋突出部１２が右下から左上へＳ字形に向いている場合、回転装置２０はこれに合わせて時計回り方向に回転するよう設定する必要があり、螺旋突出部１２が左下から右上へＺ字形に向いている場合（図４参照）、回転装置２０は反時計回り方向に回転するよう設定する必要がある。
【００３０】
柄部３０は回転装置２０の後端部に設置され、その外径は回転装置２０より大きいまたは等しいものとし、使用者が片手で握持して動かすために用いるほか、柄部３０の後端部にさらに接続部３１を設け、延伸棒４０など（図７参照）の延伸装置を接続するために用いる。本発明は接続部３１の構造を特に限定しないが、本実施例において接続部３１は柄部３０の後端部表面に上下表面を貫通して設けられた槽部３１１とし、延伸棒４０を枢設するために用いる（図６参照）。この槽部３１１の左右壁面には相互に対応する位置決め凸部３１２を設け、延伸棒４０の前端部にはこの位置決め凸部３１２に対応する位置決め凹部４０１を形成し、柄部３０と延伸棒４０の角度の制御と固定に用い、柄部３０と延伸棒４０間で両者が呈する挟角θを段階的に調整できるようにすると共に、清掃の際に届く高さと距離を増長することができる。ここで述べる延伸棒４０とは本実施例において短縮／延長機能を有する多段式の伸縮棒を指し、且つ、この伸縮棒は複数の筒状管を入れ子状に接続して成る。
【００３１】
図４から図６に示すように、実際に清掃布Ｃをこの捻り固定具に組み合わせるときは、まず支持体１０を清掃布Ｃの収容槽Ｃ１内に入れ、且つ支持体１０前端部に設けられた分岐状１１１の部分で収容槽Ｃ１内を挟持し、収容槽Ｃ１底部の対応する清掃布Ｃの部分を固定端とした後、清掃布Ｃの長さに基づき回転装置２０の第一フック部２１または第二フック部２２を選択して清掃布Ｃの他端（回転端）を掛止し、清掃布Ｃが支持体１０上に開いて固定された状態とする。このとき、使用者は手で支持体１０後端部に配置された回転装置２０を回転させるだけで、フック部に清掃布Ｃの回転端を動かして回転させ、清掃布Ｃの中段部を支持体１０の螺旋突出部１２の向きに沿って捻らせて３６０°の清掃面を備えた螺旋状の形態とすることができ、これで本発明の清掃布Ｃの取り付けと調整の動作が完了する。このように、この調整の過程において使用者は清掃布の表面に直接接触する必要がないため、効果的に手を清潔に保つことができる。
【００３２】
このほか、本発明の回転装置はさらに単方向回転装置２０とし、同様に、この回転装置２０の回転方向は螺旋突出部１２の向きに合わせるものとする。これにより、支持体１０で時計回りまたは反時計回り方向に清掃布Ｃの回転端を動かすとき、清掃布Ｃが螺旋突出部１２の向きに沿って捻られ、３６０°の清掃面を備えた螺旋状の形態を形成することができ、使用は効率的に塵埃を除去することができる。清掃布Ｃが捻られて螺旋状の形態に変形されたとき、単方向回転装置２０が清掃布Ｃの回転端を支持体１０の最後の角度位置に固定し、清掃布Ｃそのものの張力に対抗することができ、清掃布Ｃにその螺旋状の形態を継続的に維持させる。
【図面の簡単な説明】
【００３３】
【図１】従来の除塵清掃具の組立図である。
【図２】従来の除塵清掃具の清掃布を螺旋状に捻った形態に調整した状態を示す外観図である。
【図３】本発明の清掃用品の捻り固定具の立体図である。
【図４】本発明の清掃用品の捻り固定具の組立図であり、支持体を清掃布の収納槽内に入れた状態を示す。
【図５】本発明の清掃用品の捻り固定具の組立図であり、清掃布が捻られ螺旋状の形態に調整された状態を示す。
【図６】本発明の清掃用品の捻り固定具の別の組立て分解図である。
【図７】本発明の清掃用品の捻り固定具の組立図であり、柄部に延伸装置を接続した状態を示す。
【符号の説明】
【００３４】
１０      支持体
１１      柱体
１１１    分岐状  
１２      螺旋突出部
２０      回転装置
２１      第一フック部
２１１    フック
２２      第二フック部
２２１    フック
３０      柄部
３１１    槽部        
３１２    位置決め凸部
３１      接続部
４０      延伸棒
４０１    位置決め凹部
５０      清掃布
５１      収納槽
６０      保持具
６１      柄部
６２      湾曲棒
６３      回転板
６３１    螺旋突出部
Ｃ        清掃布
Ｃ１      収容槽
Ｌ１      間隔
Ｌ２      間隔
【図１】
2008043734.tif 000003
【図２】
2008043734.tif 000004
【図３】
2008043734.tif 000005
【図４】
2008043734.tif 000006
【図５】
2008043734.tif 000007
【図６】
2008043734.tif 000008
【図７】
2008043734.tif 000009